(57)【要約】【課題】小型化に有利なレンズバリアの駆動装置を提供すること。【解決手段】レンズバリア５をケース本体１にスライド自在に支持させるとともに、それらの間にばねを介在させて前記レンズバリア５を一方に付勢して成るレンズバリアの駆動装置において、前記ばねをゼンマイばね９にしたことを特徴としている。【選択図】　　　　　図３
2004126425.tif 000002
【特許請求の範囲】
【請求項１】
レンズバリアをケース本体にスライド自在に支持させるとともに、それらの間にばねを介在させて前記レンズバリアを一方に付勢して成るレンズバリアの駆動装置において、
前記ばねをゼンマイばねにしたことを特徴としたレンズバリアの駆動装置。
【請求項２】
前記ゼンマイばねを前記レンズバリア内に配置させたことを特徴とする請求項１に記載のレンズバリアの駆動装置。
【発明の詳細な説明】
【０００１】
【発明の属する技術分野】
本発明はレンズバリアの駆動装置に係り、特にばねの付勢力によりスライドさせて開閉させるレンズバリアの駆動装置に関するものである。
【０００２】
【従来の技術】
カメラには、レンズバリアをスライド式にしたものがある。このようなカメラでは、レンズバリアとケース本体との間に、ガイドレールとスライダーとによって構成されるガイド手段、バリアを一方向に付勢するばね、該ばねを蓄圧した状態でロックするロック手段、ロックを解除するロック解除手段等を備え、レンズを覆った状態でレンズバリアをロックし、ロックを解除することによってばねの付勢力でレンズバリアを開成させている。
【０００３】
【発明が解決しようとする課題】
このようなカメラでは、バリアを付勢するばねとして引っ張りコイルばねが採用されている。
【０００４】
しかしながら、引っ張りコイルばねを採用した場合には、ケース本体の幅方向（レンズバリアのスライド方向）に、ばねそのものの長さにレンズバリアのストローク量を加えた長さのばね収容空間を確保しなければならないばかりか、レンズバリアを摺動させるに十分な力を得るために相当なばね径が必要になり、その収容空間をカメラの厚み方向にも確保しなければならない。
【０００５】
ところで、近年、デジタルカメラをよりコンパクト化する傾向にある。その場合に、上記したようにコイルばねが、カメラを小型化する際の障害になっている。
【０００６】
本発明はこのような事情に鑑みてなされたもので、小型化に有利なレンズバリアの駆動装置を提供することを目的とする。
【０００７】
【課題を解決するための手段】
前記目的を達成するために請求項１に係る発明は、レンズバリアをケース本体にスライド自在に支持させるとともに、それらの間にばねを介在させて前記レンズバリアを一方に付勢して成るレンズバリアの駆動装置において、前記ばねをゼンマイばねにしたことを特徴としている。請求項１に記載の発明によれば、ゼンマイばねを使用しているので、コイルばねに較べて収容空間が小さくて済み、カメラのコンパクト化を図ることができる。
【０００８】
また、請求項２に示すように、前記ゼンマイばねを前記レンズバリア内に配置させたことを特徴としている。
【０００９】
【発明の実施の形態】
以下添付図面に従って本発明に係るレンズバリアの駆動装置の好ましい実施の形態について詳説する。
【００１０】
図１および図２は本発明に係るレンズバリアの駆動装置が適用されるデジタルカメラの全体を示したもので、図１はレンズバリアの閉成状態を示し、図２はレンズバリアの開成状態を示している。
【００１１】
また、図３は本発明に係るレンズバリアの駆動装置を備えたカメラで、レンズバリアをケース本体から取り外した状態を示している。また、図４および図５は本発明に係るレンズバリアの駆動装置を備えたカメラにおけるレンズバリアの駆動機構を示したもので、図４はレンズバリアの閉成状態を示し、図５はレンズバリアの開成状態を示している。
【００１２】
このカメラは、図２に示したように、ケース本体１の前面略中央に円形の凹部１ａが形成されており、該凹部の右寄り上部にはレンズ２が、中央上部にはストロボ３が、該ストロボ３の下方にはセルフタイマーランプ４がそれぞれ配設されている。そして、図１に示したように、凹部１ａを覆うようにレンズバリア５が配置されている。このレンズバリア５は、図２に示したように開成され、レンズ２、ストロボ３、セルフタイマーランプ４を露出させる。
【００１３】
図３に示したように、レンズバリア５の裏面には凹部５ａが形成され、該凹部には断面Ｌ字状のガイドレール６、６が上下平行に配置されている。そして、ガイドレール６、６間には軸７が立設され、該軸７にはドラム８が回転自在に保持されている。また、ドラム８内にはゼンマイばね９が収容され、該ゼンマイばね９の内端は軸７に固着され、外端はドラム８に固着されている。
【００１４】
また、レンズバリア５の裏面には上部にはプーリ１０ａ、１０ｂが配設され、ガイドレール６、６の延長上中間にもプーリ１０ｃが配設されている。
【００１５】
一方、ケース本体１の凹部１ａには、ガイドレール６、６に対応させてスライダー１１、１１が設置され、それらのスライダー１１、１１の中間にはピン１２が立設されている。
【００１６】
そして、ドラム８に、ワイヤー１３の一端を連結し、該ワイヤー１３をプーリ１０ａ、１０ｂ、１０ｃに掛け渡し、先端をケース本体１のピン１２に係合させるとともに、ガイドレール６、６をケース本体１のスライダー１１、１１に係合させる。
【００１７】
このように構成されたカメラでは、ゼンマイばね９の付勢力に抗してレンズバリア５を作動させてケース本体１の凹部１ａを覆う。すると、レンズバリア５は、図示しないロック手段によって、その位置にロックされる。
【００１８】
この状態（図４に示した状態）で、ロック手段を解除すると、ゼンマイばね９の付勢力によって、ワイヤー１３がドラム８に巻き取られ、それに伴い、ガイドレール６がスライダー１１に案内されて移動し、図５に示したようにレンズバリア５が開成される。
【００１９】
なお、上記実施の形態では、ゼンマイばね９、ガイドレール６、プーリ１０ａ、１０ｂ、１０ｃ等のレンズバリア駆動機構の主要部をレンズバリア５に設置し、その他のスライダー１１、ピン１２をケース本体１に設置しているが、レンズバリア５にガイドレール６、ピン１２を設置し、ゼンマイばね９、スライダー１１等の駆動機構の主要部をケース本体１に設置してもよい。
【００２０】
図６は本発明に係るレンズバリアの駆動装置の他の実施の形態を示す要部分解斜視図である。
【００２１】
前述の実施の形態では、ゼンマイばね９の付勢力をワイヤー１３を介して伝達させているが、図６に示すように、ドラム８をケース本体１に回転自在に支持させ、該ドラムの内部にゼンマイばね９を収容し、ドラム８の外周に歯車１４を形成するとともに、レンズバリア５にラック１５を形成し、歯車１４をラック１５に噛合させることによって、ゼンマイばね９の付勢力を伝達させてもよい。
【００２２】
【発明の効果】
以上説明したように本発明によれば、レンズバリアの駆動要素としてゼンマイばねを使用しているので、コイルばねに較べて収容空間が小さくて済み、カメラの小型化に極めて有利になる。
【００２３】
さらに、レンズバリアの駆動機構の主要部をレンズバリア内に収容すれば、ケース本体の厚みを薄くすることができ、カメラ全体をよりコンパクトにすることができる。
【図面の簡単な説明】
【図１】本発明に係るレンズバリアの駆動装置が適用されるカメラの全体を概念的に示したもので、レンズバリアの閉成状態を示した斜視図である。
【図２】本発明に係るレンズバリアの駆動装置が適用されるカメラの全体を概念的に示したもので、レンズバリアの開成状態を示した斜視図である。
【図３】本発明に係るレンズバリアの駆動装置を備えたカメラで、レンズバリアをケース本体から取り外した状態を示した分解斜視図である。
【図４】本発明に係るレンズバリアの駆動装置を備えたカメラにおけるレンズバリアの駆動機構を示したもので、レンズバリアの閉成状態の部分断面図である。
【図５】本発明に係るレンズバリアの駆動装置を備えたカメラにおけるレンズバリアの駆動機構を示したもので、レンズバリアの開成状態の部分断面図である。
【図６】本発明に係るレンズバリアの駆動装置の他の実施の形態を示したもので、カメラのレンズバリアをケース本体から取り外した状態を示した分解斜視図である。
【符号の説明】
１…ケース本体、１ａ…凹部、２…レンズ、３…ストロボ、４…セルフタイマーランプ、５…レンズバリア、５ａ…凹部、６…ガイドレール、７…軸、８…ドラム、９…ゼンマイばね、１０ａ、１０ｂ、１０ｃ…プーリ、１１…スライダー、１２…ピン、１３…ワイヤー、１４…歯車、１５…ラック
【図１】
2004126425.tif 000003
【図２】
2004126425.tif 000004
【図３】
2004126425.tif 000005
【図４】
2004126425.tif 000006
【図５】
2004126425.tif 000007
【図６】
2004126425.tif 000008